(57)【要約】【課題】  簡素、且つ、剛性を備えたスクロールユニットであって、スラスト荷重の低減を確実に図ることができるスクロール型流体機械を提供する。【解決手段】  スクロールユニット(52)の可動スクロール(54)の正面側に作用する冷媒の吐出圧力にバランスさせるべく、循環経路(7)から駆動ケーシング(22)内に形成された機械室(26)に向けて導入され、可動スクロールの背面側に負荷される冷媒の圧力を制御する圧力制御手段(88)を具備する。【選択図】      図１
2006214379.tif 000002
【特許請求の範囲】
【請求項１】
駆動ケーシング及び該駆動ケーシングに気密に嵌合された圧縮ケーシングを有するハウジングと、
前記駆動ケーシング内に形成され、該駆動ケーシングに支持された回転軸を通電により駆動させるモータを備えた機械室と、
前記圧縮ケーシング内に収容され、前記回転軸によって駆動されて旋回運動することにより、固定スクロールと協働して冷凍回路の循環経路内を循環する冷媒の吸入、圧縮及び吐出の一連のプロセスを行う可動スクロールを有するスクロールユニットと、
前記可動スクロールの正面側に作用する前記冷媒の吐出圧力にバランスさせるべく、前記循環経路から前記機械室に向けて導入され、前記可動スクロールの背面側に負荷される冷媒の圧力を制御する圧力制御手段と
を具備することを特徴とするスクロール型流体機械。
【請求項２】
前記駆動ケーシングは、前記循環経路の冷媒が前記機械室に向けて導入される冷媒導入孔を備え、
前記圧力制御手段は、前記冷媒導入孔の上流側の循環経路、又は前記冷媒導入孔自体に配設されることを特徴とする請求項１に記載のスクロール型流体機械。
【請求項３】
前記冷媒導入孔には、前記循環経路中のガスクーラからの冷媒が前記機械室に向けて導入されていることを特徴とする請求項２に記載のスクロール型流体機械。
【請求項４】
導入された前記機械室内の冷媒の圧力を所定の圧力にすべく、前記機械室から前記循環経路に向けて導出される冷媒の圧力を制御する圧力制御手段を更に具備することを特徴とする請求項１から３のいずれか一項に記載のスクロール型流体機械。
【請求項５】
前記駆動ケーシングは、導入された前記機械室内の冷媒が前記循環経路に向けて導出される冷媒導出孔を備え、
前記圧力制御手段は、前記冷媒導出孔自体、又は前記冷媒導出孔の下流側の循環経路に配設されることを特徴とする請求項４に記載のスクロール型流体機械。
【請求項６】
前記機械室内の冷媒は、前記冷媒導出孔を介して前記循環経路中の内部熱交換器に向けて導出されることを特徴とする請求項５に記載のスクロール型流体機械。
【請求項７】
前記機械室内の冷媒は、前記冷媒導出孔を介して前記循環経路中の蒸発器に向けて導出されることを特徴とする請求項５に記載のスクロール型流体機械。
【請求項８】
前記冷媒は、ＣＯ2冷媒であることを特徴とする請求項１に記載のスクロール型流体機械。
【発明の詳細な説明】
【技術分野】
【０００１】
本発明は、スクロール型流体機械に係り、詳しくは、車両の空調システムの冷凍回路に組み込まれて好適なスクロール型流体機械に関する。
【背景技術】
【０００２】
この種のスクロール型流体機械、つまり、スクロール型圧縮機には冷媒の吸入、圧縮及び吐出の一連のプロセスを実施するスクロールユニットが備えられている。
詳しくは、スクロールユニットは互いに噛み合うような固定スクロール及び可動スクロールを備えており、可動スクロールが固定スクロールに対して旋回運動する。これにより、各スクロールで形成される空間の容積が減少し、上記一連のプロセスが行われる。
【０００３】
上記圧縮のプロセスでは冷媒の吐出圧力によってスクロールユニット内に高圧の空間が形成される。そして、この圧力が可動スクロールの正面側から背面側に向けてスラスト荷重として加わり、可動スクロールを固定スクロールから離れる方向に移動させる。これに対し、可動スクロールの背面側は上記一連のプロセスを確実に行うために固定スクロールに向けて支持されている。つまり、この可動スクロールの背面側にはスラスト荷重に対する支持反力が作用し、可動スクロールを固定スクロールに近付ける方向に移動させる結果、その正面側は固定スクロールとの摩擦によって摩耗し、スクロールユニットの性能が低下する。そこで、可動スクロールの正面側の冷媒を圧縮機の内部を介してその背面側に導入し、上記スラスト荷重を軽減させる技術が開示されている（例えば、特許文献１〜３）。
【特許文献１】特開２０００−１３６７８２号公報
【特許文献２】特開２０００−２４９０８６号公報
【特許文献３】特開２０００−３５２３８６号公報
【発明の開示】
【発明が解決しようとする課題】
【０００４】
ところで、スクロールユニット内では圧力が常に変動している故に、可動スクロールの正面側に作用する冷媒の吐出圧力も常に変動し得るものである。
すなわち、この吐出圧力を有する冷媒が圧縮機の内部を介して可動スクロールの背面側に導入されると、この背面側に作用する圧力も同様に変動することになる。また、その正面側の冷媒が背面側に直ちに伝達されるとは限らず、これではスラスト荷重を効果的に相殺できないとの懸念がある。換言すれば、従来の技術ではスラスト荷重の低減については依然として課題が残されている。
【０００５】
ここで、近年、地球環境への配慮から、温暖化係数（ＧＷＰ）の小さな値を有する冷媒を用いた冷凍回路の開発が進められている。この種の冷媒の一例としては自然系のＣＯ2（炭酸）ガスがあるが、このＣＯ2冷媒はその作動圧力が高いので、上記スラスト荷重の低減が特に必要なる。
また、この作動圧力の高いＣＯ2冷媒を使用するためには、スクロールユニットは簡素、且つ、剛性を備えることが望ましく、例えば、可動スクロール自体に連通孔を設ける、或いは、その背面側から正面側への逆流を防止する逆止弁を設ける、又は、背面側に弾性部材を設ける等の構造は、スクロールユニットによる上記一連のプロセスにとって障害となり得る点にも留意しなければならない。
【０００６】
本発明は、このような課題に鑑みてなされたもので、簡素、且つ、剛性を備えたスクロールユニットであって、スラスト荷重の低減を確実に図ることができるスクロール型流体機械を提供することを目的とする。
【課題を解決するための手段】
【０００７】
上記の目的を達成するべく、請求項１記載のスクロール型流体機械は、駆動ケーシング及び駆動ケーシングに気密に嵌合された圧縮ケーシングを有するハウジングと、駆動ケーシング内に形成され、駆動ケーシングに支持された回転軸を通電により駆動させるモータを備えた機械室と、圧縮ケーシング内に収容され、回転軸によって駆動されて旋回運動することにより、固定スクロールと協働して冷凍回路の循環経路内を循環する冷媒の吸入、圧縮及び吐出の一連のプロセスを行う可動スクロールを有するスクロールユニットと、可動スクロールの正面側に作用する冷媒の吐出圧力にバランスさせるべく、循環経路から機械室に向けて導入され、可動スクロールの背面側に負荷される冷媒の圧力を制御する圧力制御手段とを具備することを特徴としている。
【０００８】
また、請求項２記載の発明では、駆動ケーシングは、循環経路の冷媒が機械室に向けて導入される冷媒導入孔を備え、圧力制御手段は、冷媒導入孔の上流側の循環経路、又は冷媒導入孔自体に配設されることを特徴としている。
更に、請求項３記載の発明では、冷媒導入孔には、循環経路中のガスクーラからの冷媒が機械室に向けて導入されていることを特徴としている。
【０００９】
また、請求項４記載の発明では、導入された機械室内の冷媒の圧力を所定の圧力にすべく、機械室から循環経路に向けて導出される冷媒の圧力を制御する圧力制御手段を更に具備することを特徴としている。
更に、請求項５記載の発明では、駆動ケーシングは、導入された機械室内の冷媒が循環経路に向けて導出される冷媒導出孔を備え、圧力制御手段は、冷媒導出孔自体、又は冷媒導出孔の下流側の循環経路に配設されることを特徴としている。
【００１０】
更にまた、請求項６記載の発明では、機械室内の冷媒は、冷媒導出孔を介して循環経路中の内部熱交換器に向けて導出されることを特徴としている。
また、請求項７記載の発明では、機械室内の冷媒は、冷媒導出孔を介して循環経路中の蒸発器に向けて導出されることを特徴としている。
更に、請求項８記載の発明では、冷媒はＣＯ2冷媒であることを特徴としている。
【発明の効果】
【００１１】
従って、請求項１記載の本発明のスクロール型流体機械によれば、可動スクロールの正面側には冷媒の吐出圧力が作用する一方、この可動スクロールの背面側には冷凍回路の循環経路からの冷媒の圧力を負荷として作用させる。そして、圧力制御手段がこの可動スクロールの背面側への圧力を調整することにより、これら正面側及び背面側の圧力をバランスさせる。よって、可動スクロールのスラスト荷重を確実に相殺し、スクロールユニットでは安定した圧縮のプロセスが得られる。この結果、可動スクロールの摩耗が低減され、スクロールユニットの信頼性が向上する。
【００１２】
また、可動スクロールに対して変更を加えることなく、この正面側及び背面側の圧力がバランスされるので、簡素、且つ、剛性を備えたスクロールユニットの構造が可能となる。
また、請求項２記載の発明によれば、圧力制御手段が冷媒導入孔の上流側の循環経路に配設されると、現有の流体機械でも適用可能となる。一方、圧力制御手段が冷媒導入孔自体に配設されると、現有の循環経路に対して流体機械を交換すれば適用可能となる。
【００１３】
更に、請求項３記載の発明によれば、可動スクロールの正面側には高圧の冷媒が負荷として作用し、その背面側にはガスクーラからの同じく高圧の冷媒が負荷として作用し、圧力制御手段がこの背面側の負荷の安定化を図る。よって、より安定した圧縮のプロセスが得られる。
また、機械室にはガスクーラにより冷却された冷媒が導入されるため、機械室内のモータ等の熱損傷が回避される。
【００１４】
更にまた、請求項４記載の発明によれば、圧力制御手段は、可動スクロールの背面側への冷媒が導入された機械室内の圧力を所定の圧力に保持することから、この背面側の負荷がより一層安定する。
また、請求項５記載の発明によれば、圧力制御手段が冷媒導出孔自体に配設されると、現有の循環経路に対して流体機械を交換すれば適用可能となる。一方、圧力制御手段が冷媒導出孔の下流側の循環経路に配設されると、現有の流体機械でも適用可能となる。
【００１５】
更に、請求項６記載の発明によれば、機械室内の冷媒が内部熱交換器にて熱交換に利用可能となるので、冷凍能力の向上に寄与する。
更にまた、請求項７記載の発明によれば、機械室内の冷媒が蒸発器に向けて導出されることから、圧力制御手段による制御可能な範囲が広くなり、制御上の利点が多くなる。
また、請求項８記載の発明によれば、冷凍回路に作動圧力の高いＣＯ2冷媒が使用されても、十分な耐久性が確保されるし、しかも、自然系のＣＯ2冷媒が使用されると、環境負荷の軽減に大きく寄与する。
【発明を実施するための最良の形態】
【００１６】
以下、図面により本発明の実施形態について説明する。
図１は、本実施形態に係るスクロール型流体機械を示す。
当該流体機械はハウジング２０を備えた回転式のスクロール型圧縮機４であり、この圧縮機４は車両の空調システムの冷凍回路２に組み込まれている。具体的には、この冷凍回路２には圧縮機４、ガスクーラ６、二重管式の内部熱交換器１０、膨張弁１２及び蒸発器１４が順次配置され、圧縮機４は内部熱交換器１０の出口側の循環経路１６から自然系冷媒であるＣＯ2冷媒（以下、単に冷媒と称す）を吸入し、この冷媒を圧縮してガスクーラ６の入口側に向けて吐出する。
【００１７】
ハウジング２０は駆動ケーシング２２及び圧縮ケーシング２４を有し、駆動ケーシング２２及び圧縮ケーシング２４はそれぞれ圧縮ケーシング２４及び駆動ケーシング２２に向けて開口したカップ形状をなし、その開口端が気密に嵌合されている。
駆動ケーシング２２の開口端部分には環状の支持ブロック４６が配設され、駆動ケーシング２２内、具体的には、支持ブロック４６と駆動ケーシング２２の有底部分との空間がモータ室（機械室）２６として形成されている。このモータ室２６には段付きの回転軸３０が配置され、この回転軸３０は小径軸部３２と大径軸部３４とを有する。小径軸部３２はニードル軸受３８を介して駆動ケーシング２２の有底部分に回転自在に支持され、大径軸部３４はボール軸受３６を介して支持ブロック４６に回転自在に支持されている。
【００１８】
回転軸３０は電動モータ４０への通電により駆動される。詳しくは、モータ室２６にはブラシレスの電動モータ４０が配設され、ロータ４２が回転軸３０の外周側に固着され、このロータ４２の外周側には所定間隔をおいてステータ４４が配置されている。そして、ステータ４４が通電されると、ロータ４２は回転軸３０と一体的に回転する。
一方、圧縮ケーシング２４の開口端部分にも環状の支持ブロック４８が配設され、支持ブロック４８の背面側が上記支持ブロック４６の正面側に当接されている。また、支持ブロック４８の正面側には３本のシールリング４９が等間隔に配設されている。
【００１９】
ここで、圧縮ケーシング２４内、具体的には、支持ブロック４８と圧縮ケーシング２４の有底部分との空間にはスクロールユニット５２が収容され、このスクロールユニット５２は可動スクロール５４及び固定スクロール５６を備えている。これら可動スクロール５４及び固定スクロール５６は互いに噛み合うような渦巻きラップ６１，７９をそれぞれ有し、これら渦巻きラップ６１，７９は互いに協働し、図示しないシール等を介して圧縮室５８を形成する。この圧縮室５８は可動スクロール５４の旋回運動により、渦巻きラップ６１，７９の径方向外周側から中心に向けて移動し、この際にその容積が減少される。
【００２０】
上述した可動スクロール５４の旋回運動を達成するため、可動スクロール５４の基板６０は駆動ケーシング２２側に向けて突出するボス６２を有しており、このボス６２はニードル軸受６４を介して偏心ブッシュ６６を回転自在に支持している。この偏心ブッシュ６６は図示しないクランクピンに支持され、大径軸部３４から偏心して突出している。従って、回転軸３０の回転に伴い、偏心ブッシュ６６を介して可動スクロール５４が旋回運動することなる。
【００２１】
なお、偏心ブッシュ６６にはカウンタウエイト７０が取り付けられており、このカウンタウエイト７０が可動スクロール５４の旋回運動に対するバランスウエイトとなる。
また、可動スクロール５４の背面側と支持ブロック４８の正面側との間には緩衝用の間隙が形成され、更に、ボス６２の外周側と支持ブロック４８の内周側との間にも冷媒導入用の間隙が形成され、この冷媒導入用の間隙を介して緩衝用の間隙とモータ室２６とが連通されている。
【００２２】
固定スクロール５６は圧縮ケーシング２４の有底部分に固定され、その基板７８が圧縮ケーシング２４内を圧縮室５８側と吐出室８０側とを仕切っている。基板７８にはその中央に圧縮室５８に連なる吐出孔８２が形成され、この吐出孔８２は図示しないリード弁により開閉される。このリード弁はその弁押さえ８４とともに基板７８の吐出室８０側に取り付けられている。
【００２３】
ここで、圧縮ケーシング２４の周壁には圧縮室５８に連通する吸入ポート２５が形成されており、吸入ポート２５は前述した循環経路１６に接続されている。そして、この吸入ポート２５は上述した緩衝用の間隙とも連通されており、当該緩衝用の間隙、つまり、可動スクロール５４の背面側にはモータ室２６内の冷媒の他、循環経路１６から吸入された冷媒も流入される。更に、圧縮ケーシング２４の有底部分には吐出室８０に連通する吐出ポート８６が形成されており、吐出室８０は吐出ポート８６を介してガスクーラ６に接続されている。
【００２４】
ところで、本実施形態の駆動ケーシング２２の周壁において、その開口端近傍にはガスクーラ６の出口側に接続された循環経路７とモータ室２６とを連通させる冷媒導入孔２７が形成され、冷媒導入孔２７を介してガスクーラ６からの冷媒がモータ室２６に向けて導入される。また、この循環経路７の途中には内部熱交換器１０に向かう循環経路９が接続されており、循環経路７には当該循環経路９との接続部分と冷媒導入孔２７との間に入口側制御弁（圧力制御手段）８８が配設されている。この入口側制御弁８８によるモータ室２６内の圧力制御により、可動スクロール５４の正面側に作用する冷媒の吐出圧力と可動スクロール５４の背面側に負荷される冷媒の圧力とをバランスさせる。
【００２５】
一方、本実施例においては、駆動ケーシング２２の周壁において、その有底部分近傍にはモータ室２６と蒸発器１４に向かう循環経路８とを連通させる冷媒導出孔２８が形成されている。つまり、この循環経路８は膨張弁１２と蒸発器１４との間の低圧回路に接続されており、冷媒導出孔２８を介してモータ室２６からの冷媒が蒸発器１４の上流側に向けて導出される。そして、循環経路８には冷媒導出孔２８と蒸発器１４の上流側の接続部分との間に出口側制御弁（圧力制御手段）９０が配設されている。この出口側制御弁９０によるモータ室２６内の圧力制御により、導入されたモータ室２６内の冷媒の圧力を所定の圧力に保持させる。
【００２６】
なお、入口側制御弁８８や出口側制御弁９０は、上述のように循環経路７、８に配設される他、冷媒導入孔２７や冷媒導出孔２８自体に配設されていても良い。
そして、上記圧縮機４では、電動モータ４０の通電による回転軸３０の回転に伴い、偏心ブッシュ６６を介して可動スクロール５４が固定スクロール５６の軸心周りを旋回運動する。この際、可動スクロール５４の自転は複数個の回転阻止機構５０の働きにより阻止された状態にある。この結果、可動スクロール５４はその旋回姿勢を一定に維持した状態で固定スクロール５６に対して旋回運動し、この旋回運動は吸入ポート２５を通じて圧縮室５８内に冷媒を吸い込み、この吸い込んだ冷媒を圧縮し、圧縮冷媒を吐出室８０内に吐出する。
【００２７】
この吐出室８０から吐出された高温高圧ガス状態の冷媒は吐出ポート８６を経てガスクーラ６内で冷却され、循環経路７及び冷媒導入孔２７を介してモータ室２６内に導入される。このモータ室２６内に導入された冷媒は、その一部がボール軸受３６を通って可動スクロール５４の背面側に到達する。一方、その残りは電動モータ４０のステータ４４を冷却して冷媒導出孔２８に向かう。但し、このモータ室２６内への冷媒の導入は、モータ室２６内にて検出された高圧中温ガス状態の冷媒の圧力ＰMに基づき、入口側制御弁８８が開弁されていることを条件とする。
【００２８】
具体的には、図２に示されるように、まず、モータ室２６内の冷媒の圧力ＰMが読み込まれると、ステップＳ２０１では、この圧力ＰMが早急の昇圧化を要するか否かについて可動スクロール５４の正面側に作用する吐出冷媒の圧力Ｐdを参照して判別される。そして、圧力ＰMが吐出圧力Ｐdよりも大きい場合、すなわち、ＹＥＳと判定されたときにはステップＳ２０２に進む。
【００２９】
ステップＳ２０２では、この圧力ＰMが可動スクロール５４の背面側に作用する負荷として吐出圧力Ｐdに対して十分に対抗して安定しているか否かが判別される。具体的には、圧力ＰMがモータ室２６内の圧力の目標値である所定値を超えているか否かが判別される。そして、圧力ＰMが所定値を超えている場合、すなわち、ＹＥＳと判定されたときにはステップＳ２０３に進み、入口側制御弁８８を閉弁させ、ガスクーラ６からの冷媒をモータ室２６内には導入させない。この場合には、ガスクーラ６の下流側の冷媒は循環経路９を介して内部熱交換器１０に導入される。同時に、出口側制御弁９０を開弁させ、モータ室２６から冷媒を流出させて上記所定値となるようにモータ室２６内の降圧化を図り、一連のルーチンを抜ける。
【００３０】
一方、ステップＳ２０２にて圧力ＰMが上記所定値を超えていない場合には、ステップＳ２０４に進んで入口側制御弁８８及び出口側制御弁９０を閉弁させる。この場合には、早急の昇圧化は不要であり、電動モータ４０の温度上昇を利用する。そして、圧力ＰMが上記所定値となるようにモータ室２６内の昇圧化を図り、一連のルーチンを抜ける。
ところで、上記ステップＳ２０１にて圧力ＰMが吐出圧力Ｐdよりも小さい場合には、圧力ＰMが早急の昇圧化を要するものと推定され、ステップＳ２０５に進む。
【００３１】
そして、このステップＳ２０５でも、この圧力ＰMが可動スクロール５４の背面側に作用する負荷として吐出圧力Ｐdに対して十分に対抗して安定しているか否かが判別される。具体的には、圧力ＰMがモータ室２６内の圧力の目標値である上記所定値を超えているか否かが判別される。そして、圧力ＰMが上記所定値を超えている場合、すなわち、ＹＥＳと判定されたときには、早急の昇圧化は不要であると擬制されてステップＳ２０６に進み、圧力ＰMが入口側制御弁８８を閉弁させ、同時に、出口側制御弁９０を開弁させ、モータ室２６から冷媒を流出させて上記所定値となるようにモータ室２６内の降圧化を図り、一連のルーチンを抜ける。
【００３２】
これに対し、ステップＳ２０５にて圧力ＰMが上記所定値を超えていない場合には、早急の昇圧化が必要であると擬制されてステップＳ２０７に進み、入口側制御弁８８を開弁させ、ガスクーラ６からの冷媒をモータ室２６内には導入させる。同時に、出口側制御弁９０を閉弁させてモータ室２６からの冷媒の流出を防止して直ちに上記所定値となるようにモータ室２６内の昇圧化を図り、一連のルーチンを抜ける。
【００３３】
なお、入口側制御弁８８や出口側制御弁９０の開閉制御は手動によって、或いは、コントローラからの信号によって操作されても良く、更に、コントローラからの信号によって入口側制御弁８８や出口側制御弁９０を連動させても良い。
また、入口側制御弁８８の閉弁によって内部熱交換器１０に供給された高圧中温ガス状態の冷媒は、蒸発器１４からの冷媒との熱交換が行われた後に膨張弁１２に供給され、絞り作用による膨張を受けて蒸発器１４内に噴出され、冷媒の気化熱により蒸発器１４の周囲の空気が冷却される。次いで、冷気が車室内に送り込まれて車室内の冷房が行われる。なお、蒸発器１４内の冷媒は、循環経路１６を介して圧縮機４の吸入ポート２５に戻り、この後、圧縮機４により再度圧縮され、上述の如く循環する。
【００３４】
以上のように、本実施形態の圧縮機４によれば、可動スクロール５４の正面側には圧縮室５８にて冷媒の吐出圧力が負荷として作用する一方、この可動スクロール５４の背面側には冷凍回路２の循環経路７からの冷媒の圧力を負荷として作用させる。そして、入口側制御弁８８がこの可動スクロール５４の背面側への圧力を調整することにより、これら可動スクロール５４の正面側及び背面側の圧力をバランスさせる。よって、可動スクロール５４のスラスト荷重を確実に相殺させ、スクロールユニット５２では安定した圧縮のプロセスが得られる。この結果、渦巻きラップ６１，７９の摩耗が低減され、スクロールユニット５２の信頼性が向上する。
【００３５】
また、可動スクロール５４に対して変更を加えることなく、この正面側及び背面側の圧力がバランスされるので、簡素、且つ、剛性を備えたスクロールユニット５２が構成される。
更に、冷凍回路２に作動圧力の高いＣＯ2冷媒が使用されても、スクロールユニット５２では十分な耐久性が確保される。
【００３６】
また、自然系のＣＯ2冷媒が使用されると、環境負荷の軽減に大きく寄与する。
更にまた、可動スクロール５４の背面側にはガスクーラ６からの高圧の冷媒が負荷として作用し、入口側制御弁８８がこの背面側の負荷の安定化を図る。よって、蒸発器１４からの低圧の冷媒がモータ室２６内に導入される場合に比してモータ室２６内の圧力が速やかに上昇し、より安定した圧縮のプロセスが得られる。また、モータ室２６にはガスクーラ６により冷却された中温の冷媒が導入されるため、モータ４０等の熱損傷も回避される。更に、蒸発器１４からの低温の冷媒がモータ室２６内に導入され、これがスクロールユニット５２に導入される場合に比して冷凍能力の低下も防止される。
【００３７】
また、出口側制御弁９０が可動スクロール５４の背面側に供給されたモータ室２６内の圧力を一定に保持することから、この背面側の負荷がより一層安定する。
更に、入口側制御弁８８がガスクーラ６と冷媒導入孔２７との間の循環経路７に配設されると、現有の圧縮機４でも適用可能となる。また、出口側制御弁９０が冷媒導出孔２８と蒸発器１４との間の循環経路８に配設されても同様の効果を奏する。一方、入口側制御弁８８が冷媒導入孔２７自体に配設されると、現有の循環経路に対して圧縮機を交換すれば適用可能となる。これは、出口側制御弁９０が冷媒導出孔２８自体に配設された場合も同様である。
【００３８】
更にまた、モータ室２６内の冷媒が蒸発器１４に向けて導出されるので、出口側制御弁９０による圧力制御の範囲が、例えばモータ室２６内の冷媒が内部熱交換器１０に接続される場合に比してより広くなり、制御上有利になる。
以上で本発明の一実施形態についての説明を終えるが、本発明は上記実施形態に限定されるものではなく、本発明の趣旨を逸脱しない範囲で種々の変更ができるものである。
【００３９】
例えば、上記実施例では、モータ室２６内の冷媒が循環経路８を介して膨張弁１２と蒸発器１４との間の低圧回路に導入されているが、必ずしもこの形態に限定されるものではなく、図３に示されるように、循環経路８が内部熱交換器１０に向かう循環経路９に接続されていても良い。この実施例の場合には、モータ室２６内の冷媒が内部熱交換器１０にて熱交換に利用可能となるので、冷凍能力の向上に寄与する。なお、この場合にも、入口側制御弁８８や出口側制御弁９０は循環経路７、８に配設される他、冷媒導入孔２７や冷媒導出孔２８自体に配設されていても良い。
【００４０】
更に、本発明のスクロール型流体機械は、上記圧縮機の他、膨張機としても使用することができ、この場合にもスクロールユニットが簡素、且つ、剛性を備え、スラスト荷重の低減を確実に図ることができるとの効果を奏する。
また、上記実施形態の如く作動圧力の高いＣＯ2冷媒を用いると、顕著な効果を有するが、冷媒としては代替フロンを用いても良く、この場合には、凝縮器からの冷媒が循環経路７を介してモータ室２６内に導入される。
【図面の簡単な説明】
【００４１】
【図１】本発明の一実施形態に係るスクロール型圧縮機を示した縦断面図である。
【図２】図１の圧縮機におけるモータ室内の圧力制御のフローチャートである。
【図３】他の実施例に係るスクロール型圧縮機を示した縦断面図である。
【符号の説明】
【００４２】
２  冷凍回路
４  スクロール型圧縮機
６  ガスクーラ
７，８  循環経路
１０  内部熱交換器
１４  蒸発器
２０  ハウジング
２２  駆動ケーシング
２４  圧縮ケーシング
２６  モータ室（機械室）
２７  冷媒導入孔
２８  冷媒導出孔
３０  回転軸
４０  電動モータ
５２  スクロールユニット
５４  可動スクロール
５６  固定スクロール
６０  基板
８８  入口側制御弁（圧力制御手段）
９０  出口側制御弁（圧力制御手段）
【図１】
2006214379.tif 000003
【図２】
2006214379.tif 000004
【図３】
2006214379.tif 000005